(57)【要約】　　　（修正有）【課題】縫い糸を多く巻ける大きな網針を使用でき、作業者が持ちやすく作業性を向上させることができる網地を提供する。【解決手段】網目寸法が５０ｍｍ未満の網地本体１１の耳部１４に、耳糸によって網地本体１１の網目１３の１０％〜５０％増しの網目１６を設けたことを特徴とする網地。【選択図】　　図１
0003098377.tif 000002
【実用新案登録請求の範囲】
【請求項１】
網目寸法が５０ｍｍ未満の網地本体の耳部に、耳糸によって網地本体の網目の１０％〜５０％増しの網目を設けたことを特徴とする網地。
【請求項２】
網目寸法が５０ｍｍ未満の網地本体の耳部に耳糸によって、網地本体の網目の１０％〜５０％増しの網目を設け、前記耳部の網目に縫い付け糸によって浮子または沈子ロープを取付けたことを特徴とする漁具用網地。
【請求項３】
網目寸法が５０ｍｍ未満の網地本体の耳部に耳糸によって、網地本体の網目の１０％〜５０％増しの網目を設け、前記耳部の網目にロープを挿通したことを特徴とする網地。
【請求項４】
前記耳糸は、モノフィラメント、モノフィラメントを撚合した撚合糸、マルチフィラメントの撚糸のいずれかであることを特徴とする請求項１〜３のいずれかに記載の網地。
【考案の詳細な説明】
【０００１】
【考案の属する技術分野】
この考案は、網目寸法が５０ｍｍ未満の漁具用、陸上用の網地に関する。
【０００２】
【従来の技術】
例えば、漁業においては、漁獲操業の形態によって、漁網具は、網地を複雑に繋ぎ合わせたり、網地本体（身網）の耳部に浮子を付けた浮子ロープを取付けたり、また耳部に沈子を付けた沈子ロープを取付けることがある。
【０００３】
また、ゴルフ場や野球場で使用する陸上用網地においては、網を張るスペースに応じて複数枚の網地本体を繋ぎ合わせたり、網地本体の耳部に取付け紐やロープを通してポールに結束して網地本体を張設することが行われる。
【０００４】
また、一般に、漁具用、陸上用の網地は、網地本体の網目と耳部の網目は、通常は同一寸法か、耳部の網目寸法が網地本体の網目の１０％未満増しである。
【０００５】
【考案が解決しようとする課題】
前述したように、漁網において、網地本体の耳部に浮子を付けた浮子ロープを取付けたり、また陸上用網地において、複数枚の網地本体を繋ぎ合わせたり、網地本体をポールに結束する場合には、耳部の網目に網針（縫い糸を巻いた針）を通して結束される。
【０００６】
網目寸法が大きい場合には網針を通すのが容易であるが、網目寸法が５０ｍｍ未満になると、網針を網目に通し難くなるという問題がある。網目に網針を通しやすくするために網針を小型にすると、縫い付け糸を多く巻けなくなり、何回も縫い付け糸を補給する必要があり、また作業者が持ち難くなり作業性が悪いという問題がある。
【０００７】
この考案は、前記事情に着目してなされたもので、その目的とするところは、縫い糸を多く巻ける大きな網針を使用でき、作業者が持ちやすく作業性を向上させることができる網地を提供することにある。
【０００８】
【課題を解決するための手段】
この考案は、前述した目的を達成するために、請求項１は、網目寸法が５０ｍｍ未満の網地本体の耳部に、耳糸によって網地本体の網目の１０％〜５０％増しの網目を設けたことを特徴とする網地にある。
【０００９】
請求項２は、網目寸法が５０ｍｍ未満の網地本体の耳部に耳糸によって、網地本体の網目の１０％〜５０％増しの網目を設け、前記耳部の網目に縫い付け糸によって浮子または沈子ロープを取付けたことを特徴とする漁具用網地にある。
【００１０】
請求項３は、網目寸法が５０ｍｍ未満の網地本体の耳部に耳糸によって、網地本体の網目の１０％〜５０％増しの網目を設け、前記耳部の網目にロープを挿通したことを特徴とする網地にある。
【００１１】
請求項４は、請求項１〜３のいずれかに記載の前記耳糸は、モノフィラメント、モノフィラメントを撚合した撚合糸、マルチフィラメントの撚糸のいずれかであることを特徴とする。
【００１２】
【考案の実施の形態】
以下、この考案の実施の形態を図面に基づいて説明する。
【００１３】
図１及び図２は第１の実施形態を示し、図１は漁具用網地を示す斜視図、図２は図１のＡ部を拡大した斜視図である。図１及び図２に示すように、網地本体（身網）１１は、例えば合成繊維のモノフィラメントからなる網糸１２を結節することにより網目１３が構成され、この網目寸法は、５０ｍｍ未満、例えば４５ｍｍに形成されている。
【００１４】
この網地本体１１の耳部（端部）１４によって網地本体１１の網目１３より大きい（網地本体１１の網目１３の１０％〜５０％増し）寸法の網目１６（４９．５ｍｍ〜６７．５ｍｍ）が設けられている。
【００１５】
耳部１４の網目１６を大きくする手段としては、編網時に耳部１４の外側に１本余分に耳糸を入れ、この余分の耳糸で耳部１４に結節を作って網目が完成した後に１本余分の耳糸を切り取って結節を解いて結節に使われていた耳糸の余分の糸で網目１６を大きくする。なお、耳糸に熱によって伸長する材質の糸を使用し、網地本体１１と同様に編網した後、耳糸に熱を加えながら伸長して網目１６を大きくしてもよい。また、耳糸としては、モノフィラメント、モノフィラメントを撚合した撚合糸、マルチフィラメントの撚糸のいずれでもよく、網地本体１１の網糸１２より強度を有することが望ましい。
【００１６】
前述のように構成された網地本体１１の耳部１４の網目１６には縫い付け糸１７によって浮子１８を有した浮子ロープ１９に取付けられている。網目１６に縫い付け糸１７を通すには縫い付け糸１７を巻き付けた網針２０（図２（ｂ）参照）が使用されるが、耳部１４の網目１６は網地本体１１の網目１３の１０％〜５０％増しであるため、大きいサイズの網針２０を使用することができる。網針２０が大きくなると作業者が持ちやすく作業性を向上できるとともに、縫い付け糸１７を３０％も多く巻き付けることができ、作業時間が２０％も短縮できた。
【００１７】
なお、網地本体１１の耳部１４の網目１６に、縫い付け糸１７によって浮子１８を有した浮子ロープ１９を取付ける場合について説明したが、沈子を付けた沈子ロープを取付ける場合においても同様である。
【００１８】
図３は第２の実施形態を示し、ゴルフ場、野球場に使用される陸上用網地である。網地本体１１は、例えば合成繊維のモノフィラメントからなる網糸１２を結節することにより網目１３が構成され、この網目寸法は、例えば４５ｍｍに形成されている。この網地本体１１の耳部１４には耳糸によって網地本体１１の網目１３より大きい（網地本体１１の網目１３の１０％〜５０％増し）寸法の網目１６（４９．５ｍｍ〜６７．５ｍｍ）が設けられている。
【００１９】
網地本体１１の耳部１４の網目１６には縫い付け紐２１が挿通され、この縫い付け紐２１はポール２２に結束されている。従って、網地本体１１は所望のテンションで張設されている。
【００２０】
このように陸上用網地において、網地本体１１をポール２２間に張設する場合においても、網地本体１１の耳部１４の網目１６が大きいために、縫い付け紐２１やロープを挿通しやすく、作業性を向上できる。
【００２１】
なお、この考案は、前記実施形態そのままに限定されるものではなく、実施段階ではその要旨を逸脱しない範囲で構成要素を変形して具体化できる。また、前記実施形態に開示されている複数の構成要素の適宜な組合せにより種々の考案を形成できる。例えば、実施形態に示される全構成要素から幾つかの構成要素を削除してもよい。さらに、異なる実施形態に亘る構成要素を適宜組合わせてもよい。
【００２２】
【考案の効果】
以上説明したように、この考案によれば、網目寸法が５０ｍｍ未満の網地本体の耳部に、網地本体の網目の１０％〜５０％増しの網目を設けたことにより、縫い糸を多く巻ける大きな網針を使用でき、作業者が持ちやすく作業性を向上させることができるという効果がある。
【図面の簡単な説明】
【図１】この考案の第１の実施形態の漁具用網地を示す斜視図。
【図２】（ａ）は図１のＡ部を拡大した斜視図、（ｂ）は網針の正面図。
【図３】この考案の第２の実施形態の陸上用網地を示す正面図。
【符号の説明】
１１…網地本体、１３…網目、１４…耳部、１６…網目
【図１】
0003098377.tif 000003
【図２】
0003098377.tif 000004
【図３】
0003098377.tif 000005